(57)【要約】      （修正有）【課題】大きな引っ張り力を受けてもループ部の締結部分が外れず、丈夫で体裁がよく、製作しやすい構成のペット用引き綱を提供する。【解決手段】斜めにカットしたロープ１の端部を折り返して、ロープ１の中間部の外周面に熱融着することによりロープ端にループ部３ａ、３ｂが形成され、熱融着した部分のロープ外周面を金属帯５で巻回圧着する。さらに、金属帯５の両端を屈曲させてロープ１内部に突き刺すようにして金属帯５をロープ１に固定し、金属帯５で固定した部分並びに熱融着した部分を含むロープ１の外周面が、伸縮性のある筒状被覆材６で被覆されるようにする。【選択図】図２
0003180387.tif 000002
【実用新案登録請求の範囲】
【請求項１】
斜めにカットしたロープの端部を折り返して、ロープの中間部の外周面に熱融着することによりロープ端にループ部が形成され、
熱融着した部分のロープ外周面を金属帯で巻回圧着するとともに、当該金属帯の両端を屈曲させてロープ内部に突き刺すようにして金属帯をロープに固定し、
前記金属帯で固定した部分並びに熱融着した部分を含むロープの外周面が、伸縮性のある筒状被覆材で被覆されていることを特徴とするペット用引き綱。
【請求項２】
前記ループ部がロープの両端に形成され、その一方のループ部にフック金具が取り付けられ、他方のループ部が手で握ることのできる手持ち部として形成されている請求項１に記載のペット用引き綱。
【請求項３】
前記筒状被覆材は、片側が円、他端側が楕円となる貫通孔が形成されている請求項１または請求項２に記載のペット用引き綱。
【考案の詳細な説明】
【技術分野】
【０００１】
本考案は、犬等のペットに用いられる引き綱に関する。特に本考案は、大型犬の散歩や係留に適した引き綱に関する。
【背景技術】
【０００２】
犬の引き綱として、天然繊維または合成樹脂繊維を組み付けて作られたロープの一端に犬の首輪等に掛止めするフック金具を取り付け、他端をループ状に形成して把手となる手持ち部としたものが一般的に知られており、例えば特許文献１〜特許文献３等で開示されている。フック金具は、ロープ端部を折り返してループ部を作り、このループ部に取り付けるのが一般的である。
【０００３】
また、ロープ端部をループ状に形成する方法として、図３（ａ）に示すように、ロープの端部をリング状となるように折り返してその先端部分をロープの中間部に接触させ、細紐１７を接触部分の周囲に巻き付けて締結したり、或いは、図３（ｂ）に示すように、環状の締め金具１８でかしめて締結したりする方法が特許文献４の図４に開示されている。これらの締結方法によれば、締結部分近傍にロープ端が段をなすようにして固定されることになる。そのため、外観も悪く、また、ロープ端の段の部分が何らかの障害物にひっかかると、ロープ端からロープ軸方向に向く力が加わりやすくなり、締結部分において細紐１７や締め金具１８で固定された２本のロープの接触部分で互いに反対方向に引かれる力が発生し、締結部分のロープが抜けたりして外れてしまいやすい形状になっている。
【先行技術文献】
【特許文献】
【０００４】
【特許文献１】実開平０１−０７７３６３号公報
【特許文献２】特開平１１−２２５６０３号公報
【特許文献３】特開２０００−２７０７０７号公報
【特許文献４】登録実用新案第３０２２２７４号公報
【考案の概要】
【考案が解決しようとする課題】
【０００５】
犬を引き綱につないで散歩させているとき、例えば、他の犬に出会った場合において、突発的に相手の犬に向かって走り出すことがある。このような場合、ロープのリング部の締結部分に大きな引張力が負荷される。特に大型犬では、引く力も強く突発的な衝撃も加わって、非常に大きな引張力が加わることとなる。このような場合に、上記したリング部の締結部分では、細紐が切れたり、或いは締め金具が緩んでロープ端が締結部分から外れたりすることがあり、大変危険であった。
【０００６】
そこで、ループ部の締結部分が外れにくい丈夫な引き綱として、例えば図４に示すような構造のものが考えられる。
この引き綱は、図４（ａ）に示すように、合成樹脂繊維からなるロープ１１の端部を斜めにカットして斜めカット面１２を形成し、図４（ｂ）に示すように、ロープ端部を輪状になるように折り返して斜めカット面１２をロープ１１の中間部の外周面に接触させ、熱で融着することによってループ部１３を形成する。そして、斜めカット部分とロープ１１の中間部分とに貫通孔１４を設けて、図４（ｃ）に示すように、この孔１４に「編み紐」１５を通して斜めカット部分とロープ中間部分を縛るように巻回して締結する。この後、図４（ｄ）に示すように、編み紐で締結した部分を含む熱融着部分の外周面を皮材などのシート状の被覆材１６で筒状に覆い、その合わせ面１６ａを糸で縫製して完成させる。
【０００７】
このように、斜めカット面１２にすれば、ロープ端が段になって締結部分に形成されることがなくなる。また、斜めカット面１２での熱融着と、貫通孔１４を通過させて斜めカット部分およびロープ中間部分を巻回した「編み紐」１５とによる締結によって、ループ部１３の締結部分は強固に固着され、大型犬の引っ張り力といった大きな負荷に対しても十分に耐えうる丈夫な引き綱を得ることができる。また、編み紐１５による締結部分や斜めカット面１２の融着部分が被覆材１６で覆われるので、外観上もきれいに仕上げることができる。
しかしながら上記の方法では、編み紐１５を通すための貫通孔１４をロープ１１に加工したり、この貫通孔１４に編み紐１５を貫通させて巻回締結したりする手段が大変面倒であるとともに、被覆材１６を締結部分に巻き付けて、その合わせ面を糸で縫製するという作業が発生して大変面倒であり、加工工数を要するといった難点がある。
また、斜めカット部分やロープ１１の中間部分に貫通孔１４を設けることになるため、ロープ１１が傷つき、貫通孔１４を全く設けていない状態に比べると、形成された貫通孔１４がきっかけとなってロープ１１の強度の劣化が進行しやすくなる。
【０００８】
そこで、本考案は、上記課題を解決し、大きな引っ張り力を受けてもループ部の締結部分が外れることがなく、丈夫で体裁のよい引き綱を製作しやすい構成で提供することを目的とする。
【課題を解決するための手段】
【０００９】
上記目的を達成するためになされた本考案の引き綱は、斜めにカットしたロープの端部を折り返して、ロープの中間部の外周面に熱融着することによりロープ端にループ部が形成され、熱融着した部分のロープ外周面を金属帯で巻回圧着するとともに、当該金属帯の両端を屈曲させてロープ内部に突き刺すようにして金属帯をロープに固定し、前記金属帯で固定した部分並びに熱融着した部分を含むロープの外周面が、伸縮性のある筒状被覆材で被覆されるようにしている。
なお、筒状被覆材は、先にロープの中間部位まで挿入しておき、金属帯による巻回圧着後に、ロープの中間部位から金属帯の圧着部位に向かって戻すようにスライドさせることにより、金属帯を巻回圧着した部分を覆うように取り付ける。
【００１０】
ここで、ループ部がロープの両端に形成され、その一方のループ部にフック金具が取り付けられ、他方のループ部が手で握ることのできる手持ち部として形成されてもよい。
また、筒状被覆材は、片側が円、他端側が楕円となる貫通孔が形成されてもよい。
【考案の効果】
【００１１】
本考案によれば、斜めカット面での熱融着だけではなく、金属帯を巻回圧着するとともに金属帯の両端を屈曲させてロープ内部に突き刺すようにして固定することで、ループ部を形成するロープ端部、即ち斜めカット面の部分とロープ中間部分とを強く結合することができる。これにより、大きな引っ張り力が突発的に発生しても、締結部分が外れることがない。また、金属帯は、ロープ外部から巻き付け、両端をロープの軸心に向けて屈曲させて圧着するだけでよいから、締結作業が極めて容易であるとともに、金属帯で圧着締結する際に、ロープ端部の斜めカット面が既に熱融着されているので、締結部分が横ずれするようなことがなく、正確かつ確実に圧着することができる。更に、筒状被覆材によって金属帯部分並びに斜めカット面の融着部分が隠されるので外観をきれいに仕上げることができる。また、筒状被覆材は、先に中間部位に挿入しておけば、金属帯を巻回圧着して締結した後に、この部位に向かって戻すようにして覆うだけでよいから、装着が簡単にできる。また、斜めカット面をロープ中間部に接触させて融着したものであるから、融着部分に段差が生じず外形をきれいに仕上げることができるといった種々の効果がある。
【図面の簡単な説明】
【００１２】
【図１】本考案に係る引き綱の製作過程を示す側面図。
【図２】本考案に係る引き綱の側面図。
【図３】従来の引き綱のループ部の締結手段を示す側面図。
【図４】本考案に係る引き綱の課題点を説明する図。
【考案を実施するための形態】
【００１３】
以下、本考案の引き綱の詳細を、図に示した実施例に基づいて説明する。
図１は、本考案に係る引き綱Ａの製作過程を示す側面図（ａ）およびａ−ａ’断面図（ｂ）であり、図２は引き綱Ａの完成した状態を示す側面図である。
【００１４】
引き綱Ａを形成するロープ１は溶着可能な繊維材料であればよく、例えば合成樹脂等が用いられる。具体的には、例えば合繊樹脂等の繊維束からなる複数の組紐を芯材とし、その周囲に合成樹脂繊維からなる外皮を組み付けることによって形成されている。この合成樹脂繊維材としては塩化ビニールやナイロン等が使用される。また、ロープ１の直径は１０〜２０ｍｍが好ましい。
【００１５】
ロープ１の両端部は、斜めにカットされた斜めカット面２が形成されており、ロープ両端部がループ状になるように折り返されて斜めカット面２がロープ１の中間部に接触し、この接触部分が熱融着されている。これによりロープ１の両端部にループ部３ａ、３ｂが形成されている。一方のループ部３ａは、犬の首輪等に掛止めするためのフック金具４を取り付けるためのものであって、フック金具４を取り付けるに足りる小さな直径で形成されており、他方のループ部３ｂは手持ち部として余裕を持って手で握ることができるように大きな直径で形成されている。
【００１６】
図１に示すように、熱融着された斜めカット面２とロープ１の中間部分の外周面が、金属帯５により巻回され、外部から圧着工具等で圧着することによりロープ端部１ｂと中間部分１ａとが締結されている。金属帯５は、厚み１ｍｍ〜２ｍｍ、幅３ｍｍ〜６ｍｍで、ステンレススチール等の錆びにくい金属で作製するのが好ましい。また、金属帯５は、ロープ１の周囲を一周或いはそれ以上巻回して、その両端は圧着時に内側へ屈曲させてロープ１に突き刺し、ロープ１内部に食い込ませるようにして固定してある。
【００１７】
更に、図２に示すように、金属帯５で圧着した部分並びに融着された斜めカット部分を含むロープ１の外周面は、伸縮性のある天然樹脂または合成樹脂（ゴム等）で作られた筒状被覆材６で被覆されている。筒状被覆材６には、片側が円、他端側が楕円となる貫通孔が形成してあり、前者側には１本のロープが貫通し、後者側には１本のロープと斜めカットされたロープ端部とが挿入されやすい形状にしてある。
この筒状被覆材６は、予めロープ１の中間部まで挿入してあり（図１参照）、上記した金属帯５を巻回して圧着した後、強制的に金属帯部分に向かって移動させることにより被覆するようにしている（図２参照）。
【００１８】
以上のごとく構成された引き綱Ａは、斜めカット面２での熱融着と、金属帯５の巻回圧着および金属帯５の両端をロープ１に食い込ませて締結することによって、ループ部３ａ、３ｂを形成するロープ端部、即ち斜めカット面部分とロープ中間部分とを強く結合することができる。これにより、大きな引っ張り力が突発的に発生しても締結部分が外れることがない。また、金属帯５は、ロープ１の外部から巻き付けて圧着するだけでよいから、締結作業が容易であるとともに、金属帯５で締結する際に、ロープ端部の斜めカット面２が既に融着されているので、締結部分が横ずれするようなことがなく、正確かつ確実に圧着することができる。更に、筒状被覆材６によって金属帯部分並びに斜めカット面の融着部分が隠されるので、外観をきれいに仕上げることができる。また、筒状被覆材６は、金属帯５による巻回締結後に、この部位に向かって強制的にスライドさせるだけでよいから簡単に装着できる。また、斜めカット面２をロープ１の中間部に接触させて融着したことにより、融着部分に段差が生じず外形をきれいに仕上げることができる。
【００１９】
以上、本考案の代表的な実施例について説明したが、本考案は必ずしも上記の実施形態に特定されるものでなく、本考案の目的を達成し、請求の範囲を逸脱しない範囲内で適宜修正、変更することが可能である。
【産業上の利用可能性】
【００２０】
本考案の引き綱は、犬などのペットを散歩させるときや係留するときの引き綱として好適に利用される。
【符号の説明】
【００２１】
Ａ  引き綱
１  ロープ
２  傾斜カット面
３ａ、３ｂ  ループ部
４  フック金具
５  金属帯
６  筒状被覆材
【図１】
0003180387.tif 000003
【図２】
0003180387.tif 000004
【図３】
0003180387.tif 000005
【図４】
0003180387.tif 000006